(57)【要約】  ブロー成形プラスチック容器、特にボトル、のための装置（１）であって、ブロー成形カルーセル（１０）を含み、ブロー成形カルーセル（１０）は、主回転軸（１００）を中心として回転可能であるとともに、第１の移送ステーションおよび第２の移送ステーション（２０，３０）において、プリフォーム（５０）を供給するためのライン（２１）とボトル（５１）を抜取るためのライン（２２）とに機能的に接続されており、ブロー成形カルーセル（１０）は、その周辺領域（１１）において、主回転軸（１００）のまわりに配置された複数の形成ユニット（１２）を支持している。各々の形成ユニット（１２）は、第１の形成キャビティおよび第２の形成キャビティ（１４ａ，１４ｂ）を規定する型（１３）を含む。型（１３）は、２つの片側モールド部（１３ａ，１３ｂ）によって形成されている。２つの片側モールド部（１３ａ，１３ｂ）は、プリフォーム（５０）の供給およびボトル（５１）の抜取りのための開位置と、少なくとも１つの形成キャビティ（１４ａ，１４ｂ）が規定される閉位置とになるように、互いに相対的に移動することができる。
2020532444.tif 000002
【特許請求の範囲】
【請求項１】
ブロー成形プラスチック容器、特にボトル、のための装置（１）であって、ブロー成形カルーセル（１０）を備え、
前記ブロー成形カルーセル（１０）は、主回転軸（１００）を中心として回転可能であるとともに、第１の移送ステーションおよび第２の移送ステーション（２０，３０）において、プリフォーム（５０）を供給するためのライン（２１）とボトル（５１）を抜取るためのライン（２２）とに機能的に接続されており、前記ブロー成形カルーセル（１０）は、その周辺領域（１１）において、前記主回転軸（１００）のまわりに配置された複数の形成ユニット（１２）を支持しており、
各々の形成ユニット（１２）は型（１３）を含み、前記型（１３）は、第１の形成キャビティおよび第２の形成キャビティ（１４ａ，１４ｂ）を規定しているとともに、２つの片側モールド部（１３ａ，１３ｂ）によって形成されており、前記２つの片側モールド部（１３ａ，１３ｂ）は、前記プリフォーム（５０）の供給および前記ボトル（５１）の抜取りのための開位置と、少なくとも１つの形成キャビティ（１４ａ，１４ｂ）が規定される閉位置とになるように、互いに相対的に移動することができ、
前記第１の移送ステーション（２０）は移送カルーセル（２３）を含み、前記移送カルーセル（２３）は、前記主回転軸（１００）に対して平行な前記移送カルーセルの軸（１０１）を中心として回転可能であるとともに、複数のグリップ要素（２４ａ，２４ｂ）を支持しており、前記複数のグリップ要素（２４ａ，２４ｂ）は、それぞれのプリフォーム（５０）を供給のための前記ライン（２１）からピックアップして形成キャビティ（１４）に供給するように適合されたそれぞれのグリップ体（２５ａ，２５ｂ）に関連付けられており、
前記移送カルーセル（２３）は、第１のグリップ要素（２４ａ）および第２のグリップ要素（２４ｂ）を支持しており、前記第１のグリップ要素（２４ａ）は、前記第１のグリップ要素（２４ａ）に関連付けられた各グリップ体（２５ａ）ごとに第１の移動軌道を規定するように適合された第１の移動手段（２６ａ）に機能的に関連付けられており、前記第２のグリップ要素（２４ｂ）は、前記第２のグリップ要素（２４ｂ）に関連付けられた各グリップ体（２５ｂ）ごとに第２の移動軌道を規定するように適合された第２の移動手段（２６ｂ）に機能的に関連付けられており、
それぞれの前記グリップ体（２５ａ，２５ｂ）が互いに異なる位置に配置されたそれぞれの解放領域におけるそれぞれの前記形成キャビティ（１４）に前記プリフォーム（５０）を供給することを可能にするために、前記第１の移動軌道と前記第２の移動軌道とは異なっており、
前記第１のグリップ要素（２４ａ）は、それぞれのプリフォーム（５０）を前記第１の形成キャビティ（１４ａ）に供給するように適合されており、前記第２のグリップ要素（２４ｂ）は、それぞれのプリフォーム（５０）を前記第２の形成キャビティ（１４ｂ）に供給するように適合されている、装置（１）。
【請求項２】
前記第１の移動手段（２６ａ）は第１のカム（２７ａ）を含み、前記第１のカム（２７ａ）は、支持構造によって支持されているとともに、前記移送カルーセルの軸（１０１）を中心とした回転中に前記第１のグリップ要素（２４ａ）に関連付けられた少なくとも１つの第１の係合要素（２９ａ）によって係合させることができる、請求項１に記載の装置（１）。
【請求項３】
前記第２の移動手段（２６ｂ）は第２のカム（２７ｂ）を含み、前記第２のカム（２７ｂ）は、前記支持構造によって支持されているとともに、前記移送カルーセルの軸（１０１）を中心とした回転中に前記第２のグリップ要素（２４ｂ）に関連付けられた少なくとも１つの第２の係合要素（２９ｂ）によって係合させることができる、前述の請求項のいずれか１項に記載の装置（１）。
【請求項４】
前記第２の移送ステーション（３０）は、実質的に前記移送カルーセル（２３）のように構成された抜取りカルーセル（３３）を含む、前述の請求項のいずれか１項に記載の装置（１）。
【請求項５】
前記第１の移動手段（２６ａ）は、前記第２の移動手段（２６ｂ）に対して異なる高さに配置されている、前述の請求項のいずれか１項に記載の装置（１）。
【請求項６】
前記第１のグリップ要素（２４ａ）および前記第２のグリップ要素（２４ｂ）は、前記移送カルーセル（２３）の前記主回転軸（１０１）を中心として互いに交互になるように配置されている、前述の請求項のいずれか１項に記載の装置（１）。
【請求項７】
前記第１のグリップ要素（２４ａ）に関連付けられた前記グリップ体（２５ａ）および前記第２のグリップ要素（２４ｂ）に関連付けられた前記グリップ体（２５ｂ）は同じ高さに位置している、前述の請求項のいずれか１項に記載の装置（１）。
【請求項８】
ブロー成形プラスチック容器、特にボトル、のための装置（１）であって、ブロー成形カルーセル（１０）を備え、
前記ブロー成形カルーセル（１０）は、主回転軸（１００）を中心として回転可能であるとともに、第１の移送ステーションおよび第２の移送ステーション（２０，３０）において、プリフォーム（５０）を供給するためのライン（２１）とボトル（５１）を抜取るためのライン（２２）とに機能的に接続されており、前記ブロー成形カルーセル（１０）は、その周辺領域（１１）において、前記主回転軸（１００）のまわりに配置された複数の形成ユニット（１２）を支持しており、
各々の形成ユニット（１２）は型（１３）を含み、前記型（１３）は、第１の形成キャビティおよび第２の形成キャビティ（１４ａ，１４ｂ）を規定しているとともに、２つの片側モールド部（１３ａ，１３ｂ）によって形成されており、前記２つの片側モールド部（１３ａ，１３ｂ）は、前記プリフォーム（５０）の供給および前記ボトル（５１）の抜取りのための開位置と、少なくとも１つの形成キャビティ（１４ａ，１４ｂ）が規定される閉位置とになるように、互いに相対的に移動することができ、
前記第１の移送ステーション（２０）は移送カルーセル（２３）を含み、前記移送カルーセル（２３）は、前記主回転軸（１００）に対して平行な前記移送カルーセルの軸（１０１）を中心として回転可能であるとともに、複数のグリップ要素（２４ａ，２４ｂ）を支持しており、前記複数のグリップ要素（２４ａ，２４ｂ）は、それぞれのボトル（５１）をそれぞれの形成キャビティ（１４）からピックアップして抜取りのための前記ライン（２２）に移送するように適合されたそれぞれのグリップ体（２５ａ，２５ｂ）に関連付けられており、
前記移送カルーセル（２３）は、第１のグリップ要素（２４ａ）および第２のグリップ要素（２４ｂ）を支持しており、前記第１のグリップ要素（２４ａ）は、前記第１のグリップ要素（２４ａ）に関連付けられた各グリップ体（２５ａ）ごとに第１の移動軌道を規定するように適合された第１の移動手段（２６ａ）に機能的に関連付けられており、前記第２のグリップ要素（２４ｂ）は、前記第２のグリップ要素（２４ｂ）に関連付けられた各グリップ体（２５ｂ）ごとに第２の移動軌道を規定するように適合された第２の移動手段（２６ｂ）に機能的に関連付けられており、
それぞれの前記グリップ体（２５ａ，２５ｂ）がそれぞれの前記形成キャビティ（１４）に前記ボトル（５１）を抜取ることを可能にするために、前記第１の移動軌道と前記第２の移動軌道とは異なっており、
前記第１のグリップ要素（２４ａ）は、それぞれのボトル（５１）を前記第１の形成キャビティ（１４ａ）から抜取るように適合されており、前記第２のグリップ要素（２４ｂ）は、それぞれのボトル（５１）を前記第２の形成キャビティ（１４ｂ）から抜取るように設計されている、装置（１）。
【発明の詳細な説明】
【技術分野】
【０００１】
本発明は、ブロー成形プラスチック容器、特にボトル、のための装置に関する。
【背景技術】
【０００２】
ブロー成形プラスチック容器のための装置は公知であって、広く使用されている。当該装置はブロー成形カルーセルを含む。ブロー成形カルーセルは、それ自体の軸を中心として回転可能であるとともに、それ自体の周辺部分に複数の形成ユニットまたはブロー成形ユニットを備える。
【０００３】
ブロー成形ユニットの各々は、２つの片側モールド部を含む。片側モールド部の各々は、開位置と閉位置との間で互いに相対的に移動可能である。
【０００４】
各々のブロー成形ユニットは、初めはそれぞれプリフォームである対応するボトルをブロー成形するための、１つまたは２つの形成キャビティを規定することができる。
【０００５】
多くの場合、２つの片側モールド部は形成ユニットが前進する経路に対して実質的に径方向である閉じ面で閉じるように方向付けられている。
【０００６】
本出願人の名義であるＷＯ２０１０／０１３２０６は、ブロー成形プラスチック容器のための装置を開示している。当該装置は、ブロー成形ボトルのためのブロー成形機と、ブロー成形機にプリフォームを供給するためのラインと、ブロー成形機からボトルを抜取るためのラインとを備える。
【０００７】
ブロー成形機はブロー成形カルーセルを含む。ブロー成形カルーセルは、垂直軸を中心として回転可能であるとともに、第１の移送ステーションおよび第２の移送ステーションにおいてプリフォーム供給ラインおよびボトル抜取りラインに機能的に接続されている。
【０００８】
カルーセルは、それ自体の周端縁で複数の形成ユニットを支持している。複数の形成ユニットは、カルーセル軸のまわりに特定のピッチで均一に分散されている。
【０００９】
各々の形成ユニットは、２つの片側モールド部によって形成された型を含む。２つの片側モールド部の各々は、開位置と２つの形成キャビティが形成される閉位置との間で、カルーセル軸に対して平行な回動軸を中心として、作動装置の推力を受けて回転させるために、カルーセルを旋回軸とするように取付けられている。
【００１０】
２つの片側モールド部は形成ユニットの経路に対して実質的に接線となる閉じ面で閉じるように方向付けられている。
【００１１】
形成ユニットへのプリフォームの供給は移送カルーセルを用いることによって行われる。移送カルーセルは、ブロー成形カルーセルの軸に対して平行な軸を中心として回転可能であるとともに、それ自体の周端縁に沿って、径方向に突き出る複数のグリップユニットを有している。
【００１２】
各々のグリップユニットは支持ロッカーを備える。支持ロッカーは、実質的に垂直な回動軸を中心として回転するように、移送カルーセルを旋回軸とするように取付けられており、その第１のアームにカムフォロアを備えている。カムフォロアは、回動軸を中心としてロッカーの角度位置を制御するように適合されたカムと接触するように適合されている。
【００１３】
ロッカーは、スライダによって摺動し得るように係合された第２の細長アームを備える。第２の細長アームはカムフォロアを備える。カムフォロアは、当該アームに沿ってスライダの位置を制御するように適合されたカムと接触するとともに、その自由端のうち、当該アームの外側に突出る１つの自由端においてグリップアセンブリを支持している。グリップアセンブリはロッカー本体を備える。ロッカー本体は、機械式または電動式の作動装置の推力を受けて、垂直な支点軸を中心としてスライダに対して相対的に回転するように、スライダを旋回軸とするように取付けられている。
【００１４】
アームは、平行であるとともに横方向に隣接する２つのグリップ要素を支持する。２つのグリップ要素は、同じ形成ユニットに規定されている２つの形成キャビティ同士の間と同じ距離だけ互いに間隔を空けて配置されている。
【発明の概要】
【発明が解決しようとする課題】
【００１５】
上述の解決策は、形成ユニットの各々が主カルーセルに接する閉じ面で２つの片側モールド部を規定している場合でもこれら形成ユニットにそれぞれプリフォームを供給することを可能にする一方で、いくつかの欠点を有している。
【００１６】
第一に、適切に管理されなければならない大きな自由度をもつグリップ要素を移動させるための動力学的システムには何らかの複雑さが確認される。
【００１７】
さらに、グリップ要素の構築方法に起因して、プリフォームを供給ラインからピックアップする際に、供給ラインのうち、プリフォーム分散ピッチが同じ形成ユニットの形成キャビティ同士の間の距離に実際に一致しているカーブ部分に沿って、ピックアップを行わなければならなくなる。
【００１８】
ＥＰ２４１２６５１は、ボトル詰め工場のための移送用スターホイールと、ボトル詰め工場においてプリフォームおよび容器を移送するための方法とを開示および例示している。
【００１９】
この移送用スターホイールは、未処理のプリフォームまたは容器上で機能的に作動する第１のグリップ手段と、形成された容器または処理された容器上で機能的に作動する第２のグリップ手段とを備える。
【００２０】
第１のグリップ手段が未処理のプリフォームまたは容器を処理ステーションに送るように、かつ、第２のグリップ手段が成型された容器または処理された容器を第２の処理ステーションからピックアップするように、移送用スターホイールを処理ステーションに向かって移動させることができる。
【００２１】
特に、第１のグリップ手段は第２のグリップ手段と交互になるようにスターホイール上に配置されている。
【００２２】
この場合、第１のグリップ手段および第２のグリップ手段はともに、同じ経路に追従するが、異なる作動部分を有している。
【００２３】
いずれの場合にも、第１のグリップ手段だけが投入部と処理アセンブリとの間で動作し、第２のグリップ手段だけが処理アセンブリと出力部との間で動作する。
【００２４】
本発明の意図は、上述の局面のうち１つ以上における背景技術を改善することができる、ブロー成形プラスチック容器、特にボトル、のための装置を提供することである。
【００２５】
本発明の目的は、この意図の範囲内で、構造上単純であるとともに使用時に極めて融通性の高い、ブロー成形プラスチック容器、特にボトル、のための装置を提供することである。
【００２６】
本発明の別の目的は、占有空間が制限されているとともに、メンテナンスのための動作およびさまざまな構成要素へのアクセスを容易にすることができる、ブロー成形プラスチック容器のための装置を提案することである。
【００２７】
本発明の別の目的は、極めて確実かつ比較的容易に競争力のある価格で提供できる、ブロー成形プラスチック容器、特にボトル、のための装置を提供することである。
【課題を解決するための手段】
【００２８】
以下においてより明らかになるであろうこの意図ならびにこれらおよび他の目的は、任意には従属請求項の特徴のうち１つ以上を備えた、請求項１に従った、ブロー成形プラスチック容器、特にボトル、のための装置によって実現される。
【００２９】
本発明のさらなる特徴および利点は、添付の図面における非限定的な例を参照して例示されている、本発明に従ったブロー成形プラスチック容器、特にボトル、のための装置についてのいくつかの好ましいが非排他的である実施形態の記載から、より明らかになるだろう。
【図面の簡単な説明】
【００３０】
【図１】破線で示されているいくつかのグリップ要素が径方向に抜き出されてそれぞれの移動手段から離されるように配置されている、移送カルーセルを示す斜視図である。
【図２】移送カルーセルを示す上面図である。
【図３】第１のカムと第２のカムとの間に配置された実質的に水平な面に沿って示される移送カルーセルの断面図である。
【図４】図２の線ＩＶ−ＩＶによって示される配置面に沿った断面図である。
【図５】図３の線Ｖ−Ｖによって示される配置面に沿った断面図である。
【図６】図３の線ＶＩ−ＶＩによって示される配置面に沿った断面図である。
【図７】本発明に従った装置の概略上面図である。
【発明を実施するための形態】
【００３１】
図を参照して、本発明に従ったブロー成形プラスチック容器、特にボトル、のための装置は全体が参照番号１で示されており、ブロー成形カルーセル１０を含む。ブロー成形カルーセル１０は、主回転軸１００を中心として回転可能であるとともに、第１の移送ステーション２０および第２の移送ステーション３０において、プリフォーム供給ライン２１およびボトル抜取りライン２２に機能的に接続されている。
【００３２】
ブロー成形カルーセル１０は、それ自体の周辺領域１１において、主回転軸１００のまわりに配置された複数の形成ユニット１２を支持している。
【００３３】
各々の形成ユニット１２は、２つの片側モールド部１３ａおよび１３ｂによって形成された型１３を含む。片側モールド部１３ａおよび１３ｂは、プリフォーム５０の供給およびボトル５１の抜取りのための開位置と、少なくとも１つの形成キャビティ１４が規定される閉位置とになるように、互いに相対的に移動することができる。
【００３４】
第１の移送ステーション２０は、主回転軸１００に対して平行な移送カルーセルの軸１０１を中心として回転可能である移送カルーセル２３を含む。
【００３５】
移送カルーセル２３は複数のグリップ要素２４ａ，２４ｂを支持する。複数のグリップ要素２４ａ，２４ｂは、供給ライン２１からそれぞれのプリフォーム５０をピックアップしてそれぞれの形成キャビティ１４に供給するように適合されたそれぞれのグリップ体２５ａ，２５ｂに関連付けられている。
【００３６】
本発明に従うと、移送カルーセル２３は第１のグリップ要素２４ａおよび第２のグリップ要素２４ｂを支持する。第１のグリップ要素２４ａは、第１のグリップ要素２４ａに関連付けられた各グリップ体２５ａごとに第１の移動軌道を規定するように適合された第１の移動手段２６ａに機能的に関連付けられている。第２のグリップ要素２４ｂは、第２のグリップ要素２４ｂに関連付けられた各グリップ体２５ｂごとに第２の移動軌道を規定するように適合された第２の移動手段２６ｂに機能的に関連付けられている。
【００３７】
便宜上、第２の移動軌道は第１の移動軌道とは異なっている。
それぞれのグリップ体２５ａ，２５ｂが互いに異なる位置に配置されたそれぞれの解放領域におけるそれぞれの形成キャビティ１４にプリフォーム５０を供給することを可能にするために、特に、第１の移動軌道と第２の移動軌道とは異なっている。
【００３８】
一例として、それぞれの解放領域は、主回転軸１００のまわりに互いに角度をなして間隔を空けるように配置されている。
【００３９】
それぞれの解放領域はまた、主回転軸１００に対して径方向に互いに間隔を空けて配置されていてもよい。
【００４０】
本発明の特に重要な一局面に従うと、第１のグリップ要素２４ａおよび第２のグリップ要素２４ｂは、移送カルーセル２３の主回転軸１０１のまわりに互いに交互になるように配置されている。
【００４１】
有利には、各々の型１３は第１の形成キャビティ１４ａおよび第２の形成キャビティ１４ｂを規定している。
【００４２】
第１のキャビティ１４ａは、たとえば、ブロー成形カルーセル１０の前進方向に対して第２のキャビティ１４ｂの上流に配置されている。
【００４３】
第１のグリップ要素２４ａは、第１の形成キャビティ１４ａにそれぞれのプリフォーム５０を供給するように適合されており、第２のグリップ要素２４ｂは、第２の形成キャビティ１４ｂにそれぞれのプリフォーム５０を供給するように適合されている。
【００４４】
したがって、本発明は、予め設定されたピッチで供給されたプリフォームをピックアップして、交互の可変ピッチでこれらプリフォームを解放することによって、異なる軌道をもたらして、それぞれ２つのキャビティを有する型にこれらプリフォームを供給することを可能にすることによって、単一の移送カルーセルで複数のプリフォームをそれぞれ複数の型に供給することを可能にする。
【００４５】
便宜上、第１の移動手段２６ａは第１のカム２７ａを含む。第１のカム２７ａは、支持構造によって支持されており、移送カルーセル２３の軸１０１を中心とした回転中に、第１のグリップ要素２４ａに関連付けられた少なくとも１つの第１の係合要素２９ａによって係合させることができる。
【００４６】
有利には、第２の移動手段２６ｂは第２のカム２７ｂを含む。第２のカム２７ｂは、支持構造によって支持されており、移送カルーセル２３の軸１０１を中心とした回転中に、第２のグリップ要素２４ｂに関連付けられた少なくとも１つの第２の係合要素２９ｂによって係合させることができる。
【００４７】
便宜上、第１の移動手段２６ａは、第２の移動手段２７ａに対して異なる高さに配置されている。
【００４８】
図に示される実用的な実施形態を参照すると、第１の移動手段２５ａおよび第２の移動手段２６ｂがそれぞれ第１のカム２６ａおよび第２のカム２７ｂを含む場合、これらのカムは、実質的に水平であるとともに互いに平行であって垂直方向に間隔を空けて配置されているそれぞれの配置面上において、主回転軸１０１のまわりに延在している。
【００４９】
第１のグリップ要素２４ａに関連付けられたグリップ体２５ａと第２のグリップ要素２４ｂに関連付けられたグリップ体２５ｂとは同じ高さに位置する。
【００５０】
好ましくは、第２の移送ステーション３０は、実質的に移送カルーセル２３のように構成された抜取りカルーセル３３を含む。
【００５１】
さらなる局面に従うと、本発明は、全体が参照番号１で示されている、ブロー成形プラスチック容器、特にボトル、のための装置に関する。当該装置はブロー成形カルーセル１０を含む。ブロー成形カルーセル１０は、主回転軸１００を中心として回転可能であるとともに、第１の移送ステーション２０および第２の移送ステーション３０において、プリフォーム供給ライン２１およびボトル抜取りライン２２に機能的に接続されている。
【００５２】
ブロー成形カルーセル１０は、それ自体の周辺領域１１において、主回転軸１００のまわりに配置された複数の形成ユニット１２を支持している。
【００５３】
各々の形成ユニット１２は、２つの片側モールド部１３ａおよび１３ｂによって形成された型１３を含む。２つの片側モールド部１３ａおよび１３ｂは、プリフォーム５０の供給およびボトル５１の抜取りのための開位置と、少なくとも１つの形成キャビティ１４が規定される閉位置とになるように、互いに相対的に移動することができる。
【００５４】
第２の移送ステーション３０は移送カルーセル２３を含む。移送カルーセル２３は、主回転軸１００に対して平行な移送カルーセル軸１０１を中心として回転可能である。
【００５５】
移送カルーセル２３は、それぞれのボトル５１を形成カルーセル１０からピックアップして抜取りライン２２に供給するように適合されたグリップ体２５ａ，２５ｂにそれぞれ関連付けられた複数のグリップ要素２４ａ，２４ｂを支持している。
【００５６】
本発明に従うと、移送カルーセル２３は第１のグリップ要素２４ａおよび第２のグリップ要素２４ｂを支持している。第１のグリップ要素２４ａは、第１のグリップ要素２４ａに関連付けられた各グリップ体２５ａごとに第１の移動軌道を規定するように適合された第１の移動手段２６ａに機能的に関連付けられている。第２のグリップ要素２４ｂは、第２のグリップ要素２４ｂに関連付けられた各グリップ体２５ｂごとに、第１の移動軌道とは異なる第２の移動軌道を規定するように適合された第２の移動手段２６ｂに機能的に関連付けられている。
【００５７】
移送カルーセル２３は上述の特徴のうち１つ以上を有し得る。
ブロー成形プラスチック容器、特にボトル、のための装置の動作は、以下のとおりである。
【００５８】
供給ライン２１は、第１の移送ステーション２０において移送カルーセル２３によってピックアップされるプリフォーム５０を供給する。
【００５９】
供給ライン２１に沿って到着するプリフォームは、第１の移動手段２６ａに関連付けられた第１のグリップ要素２５ａと、第２の移動手段２６ｂに関連付けられた第２のグリップ要素２５ｂとによって、交互にピックアップされる。
【００６０】
第１のグリップ要素２５ａおよび隣接する第２のグリップ要素２５ｂによって移送される複数のプリフォーム５０は、第１の形成キャビティ１４ａおよび第２の形成キャビティ１４ｂを規定している同じ型１３に配置されてもよい。第１の形成キャビティ１４ａの内部には、第１のグリップ要素２５ａによって移送されるプリフォーム５０が供給されることとなる。第２の形成キャビティ１４ｂの内部には、第１のグリップ要素２５ａによって移送されるプリフォーム５０が供給されることとなる。
【００６１】
次いで、片側モールド部が閉位置に設定されると、ブロー成形カルーセルの主回転軸を中心とした形成ユニットの回転中にボトルが形成される。
【００６２】
形成された１本のボトル５１または複数本のボトル５１を抜取ること、および供給ライン２１から到着するプリフォーム５０を供給することを可能にするために、第２の移送ステーション３０において、２つの片側モールド部が開位置に設定される。
【００６３】
上述したように、第２の移送カルーセル３０は移送カルーセル２３を含んでいてもよい。
【００６４】
装置１はまた、移送カルーセル２３を含む第２の移送ステーション３０だけを有していてもよい。
【００６５】
この場合、それぞれのグリップ体２５ａ，２５ｂが、ボトル５１を、それぞれの形成キャビティ１４に、特に第１の形成キャビティ１４ａおよび第２の形成キャビティ１４ｂから、抜取ることを可能にするために、第１の移動軌道と第２の移動軌道とは異なっている。
【００６６】
第１のグリップ要素２４ａは、特に第１の形成キャビティ１４ａからそれぞれのボトル５１を抜取るように適合されており、第２のグリップ要素２４ｂは、第２の形成キャビティ１４ｂからそれぞれのボトル５１を抜取るように適合されている。
【００６７】
形成キャビティを１つだけ規定する型を備えた装置１の動作は、単に、型の交換と、第１のグリップ要素２５ａまたは第２のグリップ要素２５ｂの取外しとを必要とするに過ぎない。
【００６８】
実際には、本発明が所期の意図および目的を達成することが判明した。
このように想到された本発明は、多くの変形および変更が可能であって、それらすべては添付の特許請求の範囲内である。すべての詳細は他の技術的に等価な要素とさらに置換えられてもよい。
【００６９】
実際には、使用される材料ならびに起こり得る形状および寸法も、必要条件および現状技術に応じて、如何なるものであってもよい。
【００７０】
本願が優先権を主張する基となるイタリア特許出願１０２０１７００００９８２３３の開示を本明細書中に引用によって援用する。
【００７１】
請求項に記載の技術的特徴に続いて参照符号が示されている場合、これらの参照符号は請求項を理解し易くするために含まれているだけであり、したがって、このような参照符号には、これら参照符号によって例示によって特定される各要素の解釈に対する限定効果はない。
【図１】
2020532444.tif 000003
【図２】
2020532444.tif 000004
【図３】
2020532444.tif 000005
【図４】
2020532444.tif 000006
【図５】
2020532444.tif 000007
【図６】
2020532444.tif 000008
【図７】
2020532444.tif 000009
【国際調査報告】
2020532444.tif 000010
2020532444.tif 000011